(57)【要約】【課題】ノズルの全体を十分に洗浄することができる温水洗浄装置を提供する。【解決手段】便座ボックス１内にケース１０が設置され、このケース１０内にノズル２０，２０が設置されている。このケース１０の前部は便鉢に臨むように配置される。ノズル洗浄スイッチを操作すると、ホース１４を介してケース１０内に注水され、ケース１０内が水で満たされる。この状態に所定時間おき、ノズル２０を漬け置き洗浄する。所定時間経過後、蓋１２が開き、ケース１０内の水を便鉢内へ流出させ、その後、蓋１２を閉鎖する。洗浄終了後、蓋１２を閉じる前にノズル１２を前進させ、洗浄結果を目視確認できるようにしてもよい。【選択図】図１
2005083087.tif 000002
【特許請求の範囲】
【請求項１】
便器後部上面のハウジングから突出して人体臀部を洗浄している使用姿勢と、該ハウジング内に後退した退避姿勢とを採りうるように前後進するノズルを備えた温水洗浄装置において、
該退避姿勢にあるノズルを囲むケースと、
該ケース内に該ノズルを洗浄するための水を供給するノズル洗浄水供給手段と
を備えたことを特徴とする温水洗浄装置。
【請求項２】
請求項１において、該ケースは、内部に水を溜め得るように構成されていることを特徴とする温水洗浄装置。
【請求項３】
請求項２において、該ケースの前部に、前記ノズルの突出用の開口が設けられており、
この開口を閉鎖してケース内の水の貯留を可能とする蓋が設けられていることを特徴とする温水洗浄装置。
【請求項４】
請求項１において、該ケースはノズルを洗浄するときの排水の排出口を備えており、
前記ノズル洗浄水供給手段は、ノズルに水を吹き付けてノズル洗浄するものであることを特徴とする温水洗浄装置。
【請求項５】
請求項１ないし４のいずれか１項において、該ケース内に洗浄用薬液を供給する手段を備えたことを特徴とする温水洗浄装置。
【請求項６】
請求項１において、前記ケースに水の排出口が設けられており、
該温水洗浄装置は、この排出口に着脱可能なキャップを備えていることを特徴とする温水洗浄装置。
【請求項７】
請求項６において、該キャップにグリップが連設されていることを特徴とする温水洗浄装置。
【請求項８】
請求項６又は７において、該キャップに薬剤収容部が設けられていることを特徴とする温水洗浄装置。
【発明の詳細な説明】
【技術分野】
【０００１】
本発明は、便器に設けられ、人体臀部を温水で洗浄する温水洗浄装置に関するものであり、詳しくはノズルの洗浄機構を有した温水洗浄装置に関する。
【背景技術】
【０００２】
［１］  人体臀部を温水で洗浄する温水洗浄装置は、ノズルの先端から温水を上方に噴出させて人体臀部を洗浄するよう構成されている。このノズルは、通常時は便座ボックスやロータンクカバー等のハウジング内に退避しており、臀部洗浄時に前進して便鉢内に突出する。このノズルの前進機構としては、水圧シリンダ方式のほか、伝動ベルト等によって機械的にノズルを移動させる機構も用いられている。
［２］  このノズルに付着した汚れを洗い流すために、ノズルに水を注ぎかける機構が広く採用されている。
【０００３】
特開２００２−３６４０５５号公報には、水圧シリンダ方式の洗浄ノズルにおいて、ノズルを若干突出させた状態で水をノズル先端から上方に噴出させると共に、このノズルの上方に配置した水跳ね返し板によって水を跳ね返し、この跳ね返り水をノズルに掛けるようにしたものが記載されている。
【０００４】
特開２００２−２７５９９３号公報には、伝動ベルトによって前後進するタイプのノズルを備えた温水洗浄装置において、突出状態にあるノズルの基端側へ水を注ぎかけ、ノズル全体をこの水で洗浄するように構成したものが記載されている。
【特許文献１】特開２００２−３６４０５５号公報
【特許文献１】特開２００２−２７５９９３号公報
【発明の開示】
【発明が解決しようとする課題】
【０００５】
上記の水圧シリンダ方式のノズルにあっては、ノズル全体に水を注ぎかけることはできず、ノズルの基端側を洗浄することができない。
【０００６】
また、上記いずれのタイプのノズルにあっても、ノズル洗浄はノズルに水を注ぎかけるものであり、洗浄力が弱い。なお、水をノズルに強く吹き付けた場合には、水が周囲に飛び散ってしまう。
【０００７】
本発明は、ノズルの全体を十分に洗浄することができ、しかも強力にノズルを洗浄しても周囲に水を飛散させることもない温水洗浄装置を提供することを目的とする。
【課題を解決するための手段】
【０００８】
本発明の温水洗浄装置は、便器後部上面のハウジングから突出した使用姿勢と、該ハウジング内に後退した退避姿勢とを採りうるように前後進するノズルを備えた温水洗浄装置において、該退避姿勢にあるノズルを囲むケースと、該ケース内に該ノズルの洗浄水を供給する洗浄水供給手段とを備えたことを特徴とするものである。
【０００９】
かかる本発明の温水洗浄装置にあっては、ケース内にノズルを退避させた状態でノズルを洗浄するので、ノズルを水に浸漬させたり、ノズルに強力に水を吹き付けたりすることにより、ノズルを十分に洗浄することができ、しかも周囲に水を飛散させることもない。また、ノズルの全体を洗浄することも可能である。
【００１０】
本発明の一態様においては、ケース内に水を溜め、ノズルを水に浸しておく漬け置き洗浄を行う。これにより、ノズルに付着した汚れを浮かせて落とすことができる。この場合、具体的には、ケースの前部に、前記ノズルの突出用の開口が設けられており、この開口を閉鎖してケース内の水の貯留を可能とする蓋が設けられている構成とするのが好ましい。
【００１１】
本発明の別の一態様においては、ケースは洗浄排水の排出口を備えており、前記洗浄水供給手段は、ノズルに水を吹き付けてノズル洗浄するよう構成されている。
【００１２】
この場合、ノズルに水を強く吹き付けたり水を十分に長い時間注ぎ掛けることによりノズルを十分に洗浄することができる。なお、ノズルはケース内に退避しているので、水をノズルに強く吹き付けても、跳ね返り水は外部に飛び散ることがない。
【００１３】
本発明ではケース内に洗浄用薬液を供給してもよい。これにより、ノズルをより強力に洗浄したり清潔、衛生的にすることができる。この洗浄用薬液は、ノズルを漬け置き洗いする水に含有されてもよく、ノズルに吹き付けられても良い。後者の場合、ノズルがケースで囲われているので、洗浄用薬液は外部に飛び散ることはない。
【００１４】
本発明の一態様では、ケースに水の排出口が設けられており、この排出口に着脱可能にキャップが装着される。
【００１５】
キャップを装着して排出口を閉鎖すると、ケース内に水を溜めることができる。キャップを外しておくと、ノズルに連続的に水を吹き付けて洗浄することができる。このように、キャップの着脱で漬けおき、吹きつけ両方の使いわけができる。
【００１６】
なお、キャップに薬剤収容部を設けておき、キャップ装着時に、この薬剤収容部に薬剤を入れておくと、ケース内の水に薬剤を含有させることができる。
【００１７】
汚れた部分を直接手でふれないで済むように、かつこのキャップの着脱を容易にするために、キャップにグリップを連設することが好ましい。
【発明の効果】
【００１８】
本発明の温水洗浄装置によると、ノズルの全体を十分に洗浄することができ、しかも周囲に水を飛散させることもない。
【発明を実施するための最良の形態】
【００１９】
以下、図面を参照して実施の形態について説明する。
【００２０】
図１（ａ）は第１の実施の形態に係る温水洗浄装置を備えた便座ボックスの側面図、図１（ｂ）はこの便座ボックス内のノズル収納用ケースの斜視図、図２（ａ），（ｂ），（ｃ）はノズルの構成図である。図３（ａ），（ｂ）は蓋の開閉状態を示すケース前部の縦断面図、図４は洗浄工程図である。
【００２１】
洋風便器の後部上面に設置されるハウジングとしての便座ボックス１に便座２と便蓋３とが上下方向回動可能に取り付けられている。なお、ハウジングとしては、便座ボックスの代りにロータンクカバーが採用されてもよい。
【００２２】
この便座ボックス１内にケース１０が設置され、このケース１０内にノズル２０，２０が設置されている。このケース１０の前部は便鉢に臨むように配置される。ケース１０内へはホース１４からノズル洗浄水が供給される。
【００２３】
ケース１０は、後面１１ｃが閉鎖された略四角筒状のケース本体１１と、蓋１２とから主として構成されている。このケース本体１１の前端面は前方に開放するノズル前進口１１ａとなっており、このノズル前進口１１ａに蓋１２が被さる。
【００２４】
また、ケース本体１１の前部下面は下方に向って開放する排出口１１ｂとなっている。蓋１２は、Ｌ字形側面視形状のものであり、この排出口１１ｂにも蓋１２が被さる。
【００２５】
蓋１２には、支軸１２ａを介してモータ１３に連結されており、図３（ａ）の実線の通り、該支軸１２ａから垂下してノズル前進口１１ａ及び排出口１１ｂを閉鎖した閉鎖姿勢と、図３（ａ）の２点鎖線１２’及び図３（ｂ）のように跳ね上げられた開放姿勢とをとるように上下方向（矢印θ方向）に回動される。
【００２６】
ノズル２０は、円筒形状のものであり、後端にパイプ２１が一体に連結され、給水用ホース２８が該パイプ２１の後端に接続されている。パイプ２１内とノズル２０内とは連通している。
【００２７】
ノズル２０の先端部上面に水の噴出口２２が設けられている。ノズル２０の後端にはフランジ２３が設けられ、このフランジ２３の後面にＯリング２４が装着されている。
【００２８】
パイプ２１は、ケース本体１１の後面壁１１ｃに設けられた開口１１ｄに挿通されている。フランジ２３が該後面壁１１ｃに当接する後退限まで後退すると、該Ｏリング２４が該後面壁１１ｃに密着し、開口１１ｄが水密的に閉鎖される。
【００２９】
パイプ２１の側面にラック２５が刻設されており、このラック２５と噛合するガイドローラ２６が複数対配設されている。パイプ２１は該ガイドローラ２６に挟持され、その長手方向に進退可能となっている。一部のガイドローラ２６はモータ２７が連結された駆動ローラとなっており、該モータ２７の正転によりパイプ２１及びノズル２０が前進し、モータ２７の逆転によりパイプ２１及びノズル２０が後退する。
【００３０】
このように構成された温水洗浄装置の作動について説明する。
【００３１】
臀部洗浄スイッチ操作により、モータ１３が正転して蓋１２が開放すと共に、モータ２７が正転し、パイプ２１及びノズル２０が前進する。また、ホース２８を介してノズル２０に温水が供給され、噴出口２２から温水が噴出する。ストップスイッチ操作により、温水供給が停止されると共に、モータ２７が逆転し、ノズル２０が後退する。その後、モータ１３が逆転し、蓋１２が閉まる。
【００３２】
蓋１２が閉まった状態において図示しないノズル洗浄スイッチを操作すると、以下のノズル洗浄が開始される。
【００３３】
この洗浄に際しては、ホース１４を介してケース１０内に注水され、ケース１０内が水で満たされる。この状態に所定時間おき、ノズル２０を漬け置き洗浄する。所定時間経過後、蓋１２が開き、ケース１０内の水を便鉢内へ流出させ、その後、蓋１２を閉鎖する。
【００３４】
このようにノズルを漬け置き洗いすることにより、ノズルを十分に洗浄することができる。
【００３５】
なお、上記の漬け置き洗いは、必要に応じ複数回繰り返されてもよい。また、洗浄終了後、蓋１２を閉じる前にノズル２０を前進させ、洗浄結果を目視確認できるようにしてもよい。
【００３６】
図１〜４では水のみでノズルを洗浄しているが、図５のように薬液洗浄するようにしてもよい。
【００３７】
図５では、ケース本体１１に給液管３０を介して三方弁３１が連結されており、水（水道水）と薬液とをケース１１内に供給可能としている。
【００３８】
この図５では、水をノズル２０に注ぎ掛け易くするために給液管３０はケース本体１１の上面に接続されているが、これに限定されるものではない。図５の温水洗浄装置のその他の構成は図１〜４の温水洗浄装置と同様である。
【００３９】
図５の温水洗浄装置の作動は次の通りである。
【００４０】
蓋１２が閉まった状態において、ノズル洗浄スイッチを操作すると、ケース１０内に薬液と水とが供給され、所定時間待機してノズル２０を薬液溶液中に漬け置き洗いする。その後、蓋１２が開き、ケース１１内の液が便鉢に排出される。
【００４１】
その後、第一例では、水がノズル２０に注ぎ掛けられ、ノズル２０の流し濯ぎが実行された後、蓋１２が閉鎖する。
【００４２】
第二例では、この濯ぎは溜め濯ぎとなる。即ち、蓋１２を閉鎖した後、ケース１０内に注水してケース１０内を水で満たした後、蓋１２を開け、排水し、その後、蓋１２を閉鎖する。この溜め濯ぎは必要に応じ、複数回繰り返される。
【００４３】
図６，７はノズル２０を注ぎ洗浄するようにした実施の形態を示している。
【００４４】
この実施の形態では、ケース本体１１の後部に水の噴射ノズル４１が設けられている。この噴射ノズル４１から水を連続的にノズル２０に向って噴射し、ノズル２０を洗浄する。なお、この洗浄排水を連続的に排出するために、蓋１２の代りに平板状の蓋４０が設けられている。この蓋４０はケース本体１１のノズル前進口１１ａのみを閉鎖可能であり、排出口１１ｂは常に開放している。この蓋４０は支軸４０ａを介して揺動可能に取り付けられている。ノズル２０が前進するときには、このノズル２０に押されて蓋４０が図６の２点鎖線の如く開き出す。
【００４５】
噴射ノズル４１は、常に同方向に水を噴射するものであってもよいが、この実施の形態では噴射方向を連続的に変化させるよう構成されている。
【００４６】
即ち、図７の通り、ホース１４は、モータ４２ｍによって流路切替動作する切替弁４２の流入側に接続されている。この切替弁４２の流出側は３流路に分岐しており、それぞれ噴射口４３，４４，４５に連なっている。モータ４２ｍが動作すると、噴射口４３，４４，４５の順に水が繰り返し供給され、水の噴射方向が連続的に変化する。これにより、ノズル２０が万遍なく洗浄される。
【００４７】
図８は、より強力に洗浄するために、ホース１４からの噴射水の噴射方向をガイド板５３によって変更する機構５０を備えた実施の形態を示している。ケース本体１１の上側にステップモータ５１が設置され、ケース１１を貫通する駆動軸５２が該モータ５１に連結されている。この駆動軸５２に２枚のガイド板５３が固着されている。ガイド板５３は略直交している。ガイド板５３はステップモータ５１により矢印Ｒ方向に往復動され、これによりホース１４からの噴射水の噴射方向が左右に交互に切り替えられる。
【００４８】
図９，１０の実施の形態は、蓋４０付きのケース本体１１の排出口１１ｂにキャップ６０を着脱自在に装着したものである。
【００４９】
このキャップ６０は、上面が薬剤収容部６３となっている容器形状のキャップ本体６１と、このキャップ本体６１に連設されたグリップ６２とからなる。このキャップ本体６１を図９の通り排出口１１ｂに装着すると、ケース内に水を溜めることができ、ノズル２０を漬け置き洗いすることができる。なお、このキャップ６０を装着する際に、薬剤収容部６３内に薬剤を入れておいてもよい。この薬液がケース内の水に溶け込み、ノズル２０が薬液で洗浄される。
【００５０】
このキャップ６０は、グリップ６２を備えているので、着脱がきわめて容易である。
【００５１】
上記実施の形態は本発明の一例であり、本発明は上記以外の構成をもとりうる。
【図面の簡単な説明】
【００５２】
【図１】（ａ）図は第１の実施の形態に係る温水洗浄装置を備えた便座ボックスの側面図であり、（ｂ）図はこの便座ボックス内のケースの斜視図である。
【図２】ノズルの構成図である。
【図３】蓋の開閉状態を示すケース前部の縦断面図である。
【図４】洗浄工程図である。
【図５】（ａ）図は別の実施の形態を示す断面図、（ｂ）図は洗浄工程図である。
【図６】さらに別の実施の形態を示す断面図である。
【図７】図６の噴射ノズル部分の水平断面図である。
【図８】別の噴射方向変更機構の構成図である。
【図９】異なる実施の形態を示す断面図である。
【図１０】（ａ）図は図９の構造を示す分解図、（ｂ）図はキャップの斜視図である。
【符号の説明】
【００５３】
１  便座ボックス
１０  ケース
１１  ケース本体
１１ａ  ノズル前進口
１１ｂ  排出口
１２  蓋
１３  モータ
２０  ノズル
２１  パイプ
２４  Ｏリング
２５  ラック
２６  ガイドローラ
３１  三方弁
４１  噴射ノズル
５３  ガイド板
６０  キャップ
【図１】
2005083087.tif 000003
【図２】
2005083087.tif 000004
【図３】
2005083087.tif 000005
【図４】
2005083087.tif 000006
【図５】
2005083087.tif 000007
【図６】
2005083087.tif 000008
【図７】
2005083087.tif 000009
【図８】
2005083087.tif 000010
【図９】
2005083087.tif 000011
【図１０】
2005083087.tif 000012